(57)【特許請求の範囲】
【請求項１】
前側に表示面を有する液晶パネルと、該液晶パネルを後側から照明するバックライトと、該バックライトの後側を覆うキャビネット部とを備えた表示装置において、
弾性体からなり、前記キャビネット部並びに前記液晶パネル及び前記バックライトの周縁部が圧入される溝部を内周面に有する枠体を備える
ことを特徴とする表示装置。
【請求項２】
前記キャビネット部は、
鍔部を有し、該鍔部は、前記枠体の前記溝部に圧入されている
ことを特徴とする請求項１に記載の表示装置。
【請求項３】
前側に表示面を有する液晶パネルと、該液晶パネルを後側から照明するバックライトと、該バックライトの後側を覆うキャビネット部とを備えた表示装置において、
弾性体からなり、前記液晶パネル及び前記バックライトの周縁部が圧入される溝部を内周面に有する枠体を備え、
前記液晶パネル及び前記バックライトが前記溝部に圧入された前記枠体は、前記キャビネット部に締結されている
ことを特徴とする表示装置。
【請求項４】
前記キャビネット部は、
鍔部を有し、前記枠体は、前記キャビネット部の前記鍔部に締結されている
ことを特徴とする請求項３に記載の表示装置。
【請求項５】
前記バックライトで発生した熱を放熱する放熱部を備え、
前記放熱部は、前記バックライトと、前記キャビネット部とに接触している
ことを特徴とする請求項１から請求項４のいずれか一つに記載の表示装置。
【請求項６】
前記枠体は、熱硬化性シリコン樹脂からなる
ことを特徴とする請求項１から請求項５のいずれか一つに記載の表示装置。
【請求項７】
請求項１から請求項６のいずれか一つに記載の表示装置と、
テレビジョン信号を受信する受信部と
を備え、
前記表示装置は、
前記受信部が受信したテレビジョン信号にて映像を表示するようにしてある
ことを特徴とするテレビ受像機。
【発明の詳細な説明】
【技術分野】
【０００１】
本発明は、液晶パネル及びバックライトの周縁部、並びに前記バックライトの後側を覆うキャビネットを備えた表示装置及びテレビ受像機に関する。
【背景技術】
【０００２】
テレビ受像機等の表示装置は、映像を表示する表示面を前側に有するパネルモジュールと、該パネルモジュールの周縁部を取り囲むフロントキャビネットと、前記パネルモジュールの後側を覆うバックキャビネット部とを備えている。
【０００３】
一方、特許文献１には、折畳式の携帯電話機の先端部が挿入され、閉状態と開状態との間で変化するときに両筺体それぞれに伴って変形可能なカバー部が開示されている。特許文献１に係る携帯電話機によれば、携帯電話機の外観を損ったり、操作性が低下したりすることを回避しつつ、従来のプラスチック又は金属の筺体とは異なる質感及び付加機能を与えることが可能である。
【先行技術文献】
【特許文献】
【０００４】
【特許文献１】特開２００９−２７２７６号公報
【発明の概要】
【発明が解決しようとする課題】
【０００５】
従来の表示装置においては、パネルモジュールと、フロントキャビネットと、バックキャビネット部とをビスを用いて固定しており、組立作業工数の増大が問題となっていた。
【０００６】
本発明は斯かる事情に鑑みてなされたものであり、その目的は、表示装置のキャビネットの全部又は一部を弾性体で成型し、液晶パネル及びバックライトを保持することにより、キャビネット固定用のビスを削減して生産性を向上させることができ、製品の安全性も向上させることができる表示装置及びテレビ受像機を提供することにある。
【課題を解決するための手段】
【０００７】
本発明に係る表示装置は、前側に表示面を有する液晶パネルと、該液晶パネルを後側から照明するバックライトと、該バックライトの後側を覆うキャビネット部とを備えた表示装置において、弾性体からなり、前記キャビネット部並びに前記液晶パネル及び前記バックライトの周縁部が圧入される溝部を内周面に有する枠体を備えることを特徴とする。
【００１０】
本発明にあっては、キャビネットを構成する枠体と、バックキャビネット部とは一体形成された弾性体である。従って、枠体及びバックキャビネット部を組み立てるビスが不要である。
【００１１】
本発明に係る表示装置は、前記キャビネット部は、鍔部を有し、該鍔部は、前記枠体の前記溝部に圧入されていることを特徴とする。
【００１２】
本発明にあっては、キャビネットの枠体の溝部に、液晶パネル、バックライト及びバックキャビネット部の鍔部が圧入され、枠体によって保持される。従って、液晶パネル、バックライト装置及びキャビネットを固定するビスが削減される。
【００１３】
本発明に係る表示装置は、前側に表示面を有する液晶パネルと、該液晶パネルを後側から照明するバックライトと、該バックライトの後側を覆うキャビネット部とを備えた表示装置において、弾性体からなり、前記液晶パネル及び前記バックライトの周縁部が圧入される溝部を内周面に有する枠体を備え、前記液晶パネル及び前記バックライトが前記溝部に圧入された前記枠体は、前記キャビネット部に締結されていることを特徴とする。
本発明に係る表示装置は、前記キャビネット部は、鍔部を有し、前記枠体は、前記キャビネット部の前記鍔部に締結されていることを特徴とする。
【００１４】
本発明にあっては、キャビネットの枠体の溝部に、液晶パネル及びバックライトが圧入され、該枠体は、バックキャビネット部の鍔部に締結される。
【００１５】
本発明に係る表示装置は、前記バックライトで発生した熱を放熱する放熱部を備え、前記放熱部は、前記バックライトと、前記キャビネット部とに接触していることを特徴とする。
【００１６】
本発明にあっては、放熱部がバックライトと、バックキャビネット部とに接触している。従って、バックライトで発生した熱は、放熱部及びバックキャビネット部を伝わり、放熱される。
【００１７】
本発明に係る表示装置は、前記枠体は、熱硬化性シリコン樹脂からなることを特徴とする。
【００１８】
本発明にあっては、枠体は熱硬化性シリコン樹脂である。従って、枠体に液晶パネル及びバックライトを圧入した後、枠体を硬化させることによって、液晶パネル及びバックライトをより確実に枠体に保持させることが可能である。
【００１９】
本発明に係るテレビ受像機は、上述のいずれか一つの表示装置と、テレビジョン信号を受信する受信部とを備え、前記表示装置は、前記受信部が受信したテレビジョン信号にて映像を表示するようにしてあることを特徴とする。
【００２０】
本発明にあっては、テレビジョン信号を受信し、表示装置に該テレビジョン信号に係る映像を表示することが可能である。
【発明の効果】
【００２１】
本発明によれば、キャビネット固定用のビスを削減して生産性を向上させることができ、製品の安全性も向上させることができる。
【図面の簡単な説明】
【００２２】
【図１】本発明の実施の形態に係る表示装置の一構成例を示す正面側の分解斜視図である。
【図２】表示装置の一構成例を模式的に示した側断面図である。
【図３】枠体の溝部に液晶パネル及びバックライトを挿入する方法を示した斜視図である。
【図４】変形例１に係る表示装置の一構成例を模式的に示した側断面図である。
【図５】変形例２に係る表示装置の一構成例を模式的に示した側断面図である。
【図６】変形例３に係る表示装置の一構成例を模式的に示した側断面図である。
【発明を実施するための形態】
【００２３】
以下、本発明をその実施の形態を示す図面に基づいて詳述する。
図１は、本発明の実施の形態に係る表示装置の一構成例を示す正面側の分解斜視図、図２は、表示装置の一構成例を模式的に示した側断面図である。本発明の実施の形態に係る表示装置は、例えば、液晶テレビなどのテレビ受像機であり、前側に表示面２１を有し、略直方体をなす液晶パネル２と、液晶パネル２を後側から照明するバックライト４と、液晶パネル２及びバックライト４の周縁部２ａ、４ａ、並びにバックライト４の後面側を覆うキャビネット５と、テレビジョン信号を受信するチューナ（受信部）６と、電気回路７と、キャビネット５に覆われた液晶パネル２及びバックライト４を起立状態で支持するスタンド８とを備える。また、液晶パネル２の前側には、液晶パネル２を保護するガラス製又は透光樹脂製の保護板１が配され、バックライト４と、液晶パネル２との間には、光学シート３が配されている。
なお、図２においては、要点を示すべく、チューナ６、電気回路７、スタンド８等を省略して描いている。
【００２４】
液晶パネル２は、周知のように、透明電極が配された対向する２枚のガラス基板に液晶を封入してなり、正面側のガラス基板にはカラーフィルタが配設され、各ガラス基板の前後には偏光板が配されている。液晶パネル２は、チューナ６で受信したテレビジョン信号に基づいて、該テレビジョン信号に係る映像を表示する。
【００２５】
バックライト４は、平皿状のバックライトシャーシ、バックライトシャーシに配された反射シート及び複数の光源を有する。光源は、例えば、ＬＥＤ、冷陰極蛍光管である。
【００２６】
キャビネット５は、弾性体からなり、保護板１、液晶パネル２、光学シート３、バックライト４の周縁部１ａ、２ａ、３ａ、４ａが圧入される溝部５１ａを内周面に有する枠体５１と、バックライト４の後側を覆うバックキャビネット部５２とを有する。溝部５１ａの前後方向の幅は、保護板１、液晶パネル２、光学シート３及びバックライト４を前後に並べて重ねた状態での前後方向の幅よりも短い。枠体５１及びバックキャビネット部５２は、樹脂材料、例えば熱硬化性シリコン樹脂で一体形成された弾性体である。
【００２７】
図３は、枠体５１の溝部５１ａに液晶パネル２及びバックライト４を挿入する方法を示した斜視図である。枠体５１は弾性体であるため、図３に示すように、枠部を変形及び伸縮させることができる。枠体５１を適宜、変形及び伸張させ、重ね合わせた保護板１、液晶パネル２、光学シート３及びバックライト４の周縁部１ａ、２ａ、３ａ、４ａを枠体５１の溝部５１ａに挿入させる。なお、保護板１、液晶パネル２、光学シート３及びバックライト４は、必ずしも相互に固定する必要は無いが、適宜、接着剤で固定するようにしても良い。また、キャビネット５に保護板１、液晶パネル２、光学シート３及びバックライト４を圧入した後、加熱することによって、キャビネット５を硬化させるようにしても良い。
【００２８】
チューナ６及び電気回路７は、バックライト４を構成するバックライトシャーシの背面側に取り付けられている。チューナ６は、例えばデジタルチューナであり、テレビジョン信号を受信して選局を行い、選局されたチャンネル即ち特定の周波数帯の放送信号をＭＰＥＧ（Moving Picture Experts Group）−２ＴＳ（Transport Stream）等のデータに変換し、該データを、電気回路７を構成している信号処理部に与える。信号処理部ではデータのデコード、その他の各種処理を実行し、映像の信号を液晶パネル２に与える。
【００２９】
このように構成された表示装置にあっては、キャビネット固定用のビスを削減して生産性を向上させることができ、製品の安全性も向上させることができる。
【００３０】
また、枠体５１は熱硬化性シリコン樹脂である。従って、枠体５１に液晶パネル２及びバックライト４を圧入した後、枠体５１を硬化させることによって、液晶パネル２及びバックライト４をより確実に枠体５１に保持させることができる。
【００３１】
更に、液晶パネル２及びバックライト４の周縁部１ａ、２ａ、３ａ、４ａが枠体５１の溝部５１ａに圧入されているため、埃の侵入を効果的に防止することが出来る。
【００３２】
（変形例１）
図４は、変形例１に係る表示装置の一構成例を模式的に示した側断面図である。変形例１に係る表示装置は、実施の形態と同様、保護板１、液晶パネル２、光学シート３、バックライト４、キャビネット１０５等を備えており、キャビネット１０５の構造のみが実施の形態と異なるため、以下では主に上記相異点について説明する。
【００３３】
変形例１に係るキャビネット１０５は、別体で構成された枠体１５１と、バックキャビネット部１５２とで構成されている。枠体１５１は、熱硬化性シリコン樹脂からなり、保護板１、液晶パネル２、光学シート３、及びバックライト４の周縁部１ａ、２ａ、３ａ、４ａ並びに鍔部１５２ａが圧入される溝部１５１ａを内周面に有する枠状の部材である。バックキャビネット部１５２は、鍔部１５２ａを有し、バックライト４の後側を覆う平皿状をなす樹脂製部材である。溝部１５１ａの前後方向の幅は、保護板１、液晶パネル２、光学シート３、バックライト４、及びバックキャビネット部１５２の鍔部１５２ａを前後に並べて重ねた状態での前後方向の幅よりも短い。枠体１５１の溝部１５１ａには、保護板１、液晶パネル２、光学シート３、バックライト４、及び鍔部１５２ａが圧入されている。
【００３４】
変形例１に係る表示装置にあっては、キャビネット１０５の枠体１５１の溝部１５１ａに、保護板１、液晶パネル２、光学シート３、バックライト４及びバックキャビネット部１５２の鍔部１５２ａが圧入され、枠体１５１によって保持される。従って、液晶パネル２、バックライト４装置及びキャビネット１０５を固定するビスを削減することができる。
また、バックキャビネット部１５２を交換することなく、キャビネット１０５を構成する枠体１５１のみを交換することができる。例えば、種々の意匠が施された枠体１５１があった場合、枠体１５１のみを交換して、表示装置のデザイン変更を享楽することができる。
【００３５】
（変形例２）
図５は、変形例２に係る表示装置の一構成例を模式的に示した側断面図である。変形例２に係る表示装置は、実施の形態と同様、保護板１、液晶パネル２、光学シート３、バックライト４、キャビネット２０５等を備えており、キャビネット２０５の構造のみが実施の形態と異なるため、以下では主に上記相異点について説明する。
【００３６】
変形例２に係るキャビネット２０５は、別体で構成された枠体２５１と、バックキャビネット部２５２とで構成されている。枠体２５１は、熱硬化性シリコン樹脂からなり、保護板１、液晶パネル２、光学シート３、バックライト４の周縁部１ａ、２ａ、３ａ、４ａが圧入される溝部２５１ａを内周面に有する枠状の部材である。バックキャビネット部２５２は、鍔部２５２ａを有し、バックライト４の後側を覆う平皿状をなす樹脂製部材である。溝部２５１ａの前後方向の幅は、保護板１、液晶パネル２、光学シート３及びバックライト４を前後に並べて重ねた状態での前後方向の幅よりも短い。枠体２５１の溝部２５１ａには、保護板１、液晶パネル２、光学シート３及びバックライト４が圧入されている。また、バックキャビネット部２５２の鍔部２５２ａの適宜箇所には締結用の孔部が形成されている。バックキャビネット部２５２の鍔部２５２ａは、液晶パネル２及びバックライト４が溝部２５１ａに圧入された枠体２５１の背面部分にビス２５３，２５３、ねじ等の締結部材で締結され、合わせてバックライト４も締結されている。
【００３７】
変形例２に係る表示装置にあっては、使用する締結部材を最小限に抑えて、液晶パネル２、バックライト４等をキャビネット２０５に安定的に取り付けることができる。
【００３８】
（変形例３）
図６は、変形例３に係る表示装置の一構成例を模式的に示した側断面図である。変形例３に係る表示装置は、実施の形態と同様、保護板１、液晶パネル２、光学シート３、バックライト４、キャビネット５等を備えており、放熱構造の構造のみが実施の形態と異なるため、以下では主に上記相異点について説明する。
【００３９】
変形例３に係る表示装置は、バックライト４、チューナ６及び電気回路７で発生した熱を外部へ放出するための放熱部９を有する。放熱部９は、バックライト４の背面、即ちバックライトシャーシの背面と、バックキャビネット部５２とに接触するように配されている。つまり、バックキャビネット部５２は、前後方向の深さを有する平皿状であるが、バックライト４の背面に固定された放熱部９に接触することができるような前後方法の幅を有している。放熱部９は、伝熱性が高い部材、例えばアルミニウム、銅等で形成された板状の部材である。
【００４０】
変形例３に係る表示装置にあっては、バックライト４等で発生した熱を、放熱部９及びバックキャビネット部５２を通じて放出することができる。シリコン樹脂の伝熱性が比較的高いため、効率的に放熱を行うことができる。
【００４１】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００４２】
１  保護板
２  液晶パネル
３  光学シート
４  バックライト
５，１０５，２０５  キャビネット
６  チューナ
７  電気回路
８  スタンド
２１  表示面
１ａ、２ａ、３ａ、４ａ  周縁部
５１  枠体
５１ａ  溝部
５２，１５２，２５２  バックキャビネット部
１５２ａ，２５２ａ  鍔部
【図１】
0005572571.tif 000002
【図２】
0005572571.tif 000003
【図３】
0005572571.tif 000004
【図４】
0005572571.tif 000005
【図５】
0005572571.tif 000006
【図６】
0005572571.tif 000007